(57)【特許請求の範囲】
【請求項１】
表面ラベル部と底面ラベル部との間に折目線によって折畳まれる折畳みラベル部が少なくとも１つ設けられ、各ラベル部の少なくとも表面側が印刷面になった折畳み式ラベルにおいて、上記の表面ラベル部の両側部に切離し用の切込み線を介して側方に突出した押え部が設けられると共に、少なくともこの押え部の裏面と上記の底面ラベル部の裏面とに粘着剤層が設けられていることを特徴とする折畳み式ラベル。
【請求項２】
請求項１に記載した折畳み式ラベルにおいて、上記の表面ラベル部の裏面と、この表面ラベル部と折目線を介して連続する折畳みラベル部の裏面との少なくとも一方に粘着剤層が設けられていることを特徴とする折畳み式ラベル。
【請求項３】
請求項１又は請求項２に記載した折畳み式ラベルにおいて、表面ラベル部と底面ラベル部との間に折目線によって折畳まれる折畳みラベル部が複数設けられ、少なくとも上記の表面ラベル部と折目線を介して連続する折畳みラベル部以外の折畳みラベル部の裏面が非粘着性或いは弱粘着性であることを特徴とする折畳み式ラベル。
【請求項４】
請求項１〜請求項３の何れか１項に記載した折畳み式ラベルにおいて、上記の底面ラベル部の両側部に、上記の表面ラベル部の押え部に対応するようにして側方に突出した突出部が設けられていることを特徴とする折畳み式ラベル。
【発明の詳細な説明】
【技術分野】
【０００１】
この発明は、物品に貼付するラベルに係り、特に多くの情報を掲載することができると共に、このような情報の一部を外部から簡単に見ることができないようした折畳み式ラベルに関するものである。
【背景技術】
【０００２】
従来から、物品の名称、特徴、使用方法、製造者、製造日等を表示するために物品にラベルを貼付することが行われている。
【０００３】
しかし、単に１枚のラベルを物品にそのまま貼付するだけでは表示できる内容が少なく、充分な内容表示が行えないという問題があり、またラベルに表示された内容は全て外部から簡単に見えるため、例えば懸賞の番号などを一緒にラベルに記載することはできなかった。
【０００４】
このため、従来においても、特許文献１に示されるように、１枚の長いラベルを折畳み、このように折畳んだ各ラベル部の一部を粘着剤によって剥離可能に接着させるようにした折畳み式ラベルが提案されている。
【０００５】
しかし、この特許文献１に示される折畳み式ラベルの場合、粘着剤によって剥離可能に接着させた各ラベル部の部分が簡単に外れて、折畳んだラベルが勝手に開いてしまうなどの問題があった。
【０００６】
そして、近年においては、特許文献２に示されるように、１枚の長いラベルを折畳んで包み込むようにし、下に位置するラベル部を物品に接着させる一方、上に位置するラベル部の自由端部を折畳んだラベル部の上に接着させると共に、この上に位置するラベル部に開封用のミシン目を設け、このミシン目により上に位置するラベル部を切断させて、上記のように包み込むように折畳んだラベルを開けるようにした折畳み式ラベルも提案されている。
【０００７】
しかし、この特許文献２に示される折畳み式ラベルのように、１枚の長いラベルを折畳んで包み込むようにし、下に位置するラベル部を物品に接着させるようにする一方、上に位置するラベル部の自由端部を折畳んだラベル部の上に接着させると共に、この上に位置するラベル部に開封用のミシン目を設けるようにすることは非常に面倒であり、生産性が悪く、その製造コストが高くつくという問題があった。
【０００８】
さらに、この特許文献２に示される折畳み式ラベルの場合、上記のように下に位置するラベル部を物品に接着させるだけであるため、この下に位置するラベル部の上において折畳まれたラベルが浮いた状態になりやすく、このように浮いた部分が物等に引っ掛かって、上に位置するラベル部に設けられた開封用のミシン目が切れて、この折畳み式ラベルが勝手に開いてしまう等の問題もあった。
【特許文献１】特開平６−５１７００号公報
【特許文献２】実開平６−５５１６１号公報
【発明の開示】
【発明が解決しようとする課題】
【０００９】
この発明は、多くの情報を掲載することができると共に、このような情報の一部を外部から簡単に見ることができないようした折畳み式ラベルにおける上記のような様々な問題を解決することを課題とするものである。
【００１０】
すなわち、この発明においては、折畳み式ラベルの製造が簡単に行えて、その製造コストが低減されると共に、この折畳み式ラベルが浮かないようにして物品に密接するように接着され、この折畳み式ラベルが勝手に開いたりするのを防止することを課題とするものである。
【課題を解決するための手段】
【００１１】
この発明における折畳み式ラベルにおいては、上記のような課題を解決するため、表面ラベル部と底面ラベル部との間に折目線によって折畳まれる折畳みラベル部が少なくとも１つ設けられ、各ラベル部の少なくとも表面側が印刷面になった折畳み式ラベルにおいて、上記の表面ラベル部の両側部に切離し用の切込み線を介して側方に突出した押え部を設けると共に、少なくともこの押え部の裏面と上記の底面ラベル部の裏面とに粘着剤層を設けるようにした。
【００１２】
ここで、上記の折畳み式ラベルを折畳んだ場合において、上記の表面ラベル部とこの表面ラベル部と折目線を介して連続する折畳みラベル部とを接着させる場合には、表面ラベル部の裏面と、この表面ラベル部と折目線を介して連続する折畳みラベル部の裏面との少なくとも一方に粘着剤層を設けるようにする。
【００１３】
また、上記の折畳み式ラベルにおいて、表面ラベル部と底面ラベル部との間に折目線によって折畳まれる折畳みラベル部を複数設けた場合には、少なくとも上記の表面ラベル部と折目線を介して連続する折畳みラベル部以外の折畳みラベル部の裏面を非粘着性或いは弱粘着性にすることが好ましい。
【００１４】
また、上記の折畳み式ラベルにおいて、上記の底面ラベル部の両側部に、上記の表面ラベル部の押え部に対応するようにして側方に突出した突出部を設けることが好ましい。
【００１５】
また、上記の表面ラベル部の裏面に粘着剤層が設けられた折畳み式ラベルを折畳んだ場合において、上記の表面ラベル部の上部側が底面ラベル部より突出されるようにすることが好ましい。
【発明の効果】
【００１６】
この発明における折畳み式ラベルを折畳んで物品に貼付するにあたっては、表面ラベル部と底面ラベル部との間に設けられた折畳みラベル部を折目線によって折畳んで、折畳みラベル部を表面ラベル部と底面ラベル部との間に挟み込むようし、この状態で、底面ラベル部の裏面に設けられた粘着剤層によって底面ラベル部を物品に貼付すると共に、上記の表面ラベル部の両側部から切離し用の切込み線を介して側方に突出した押え部を、その裏面に設けられた粘着剤層により物品に貼付させて、上記の表面ラベル部の印刷面が表面に現れるようにする。
【００１７】
このようにすると、１枚の長いラベルを折畳んで包み込むようにした上記の特許文献２に示される折畳み式ラベルに比べて、その製造が容易に行えるようになり、生産性が向上すると共に、製造コストも低減される。
【００１８】
また、上記のように表面ラベル部の両側部から側方に突出した押え部を物品に貼付させると、上記のように折畳まれた折畳み式ラベル全体がこの押え部により物品に押し付けられて密接した状態で貼付されるようになり、従来のように折畳み式ラベルが浮いた状態になって物等に引っ掛かるのが防止され、上記の表面ラベル部と押え部との間における切離し用の切込み線が切断されて、折畳み式ラベルが勝手に開くのも防止されるようになる。
【００１９】
また、上記のように折畳み式ラベルを折畳んで物品に貼付した後、表面ラベル部と押え部との間における上記の切離し用の切込み線を切断し、表面ラベル部を押え部から分離させて、この折畳み式ラベルを開けるようにすると、上記の折畳みラベル部や底面ラベル部における印刷面が現れて、これらに記載されている内容を見ることができるようになる。
【００２０】
このため、この折畳み式ラベルにおいては、表面ラベル部、底面ラベル部及び折畳みラベル部の各印刷面に多くの表示内容を記載できるようになると共に、この折畳み式ラベルを開けるまでは、上記の折畳みラベル部や底面ラベル部の印刷面が隠れた状態となり、これらの印刷面に懸賞の番号などを表示し、情報の一部が外部から見えないようにすることもできる。
【００２１】
また、この発明における折畳み式ラベルにおいて、上記の表面ラベル部の裏面と、この表面ラベル部と折目線を介して連続する折畳みラベル部の裏面との少なくとも一方に粘着剤層を設け、この折畳み式ラベルを折畳んだ状態で、この粘着剤層により、表面ラベル部の裏面とこの表面ラベル部と折目線を介して連続する折畳みラベル部の裏面とを接着させると、上記のように表面ラベル部を押え部から分離させて、この折畳み式ラベルを開けた場合に、上記の表面ラベル部の印刷面がこの表面ラベル部と折目線を介して連続する折畳みラベル部の印刷面の裏面側に位置するようになり、折畳み式ラベルを開けるまで隠れていた折畳みラベル部や底面ラベル部の印刷面だけを簡単に見ることができるようになる。
【００２２】
また、この発明における折畳み式ラベルにおいて、表面ラベル部と底面ラベル部との間に折目線によって折畳まれる折畳みラベル部を複数設け、少なくとも上記の表面ラベル部と折目線を介して連続する折畳みラベル部以外の折畳みラベル部の裏面を非粘着性或いは弱粘着性にすると、折畳みラベル部相互が重なるようにして折畳んだ場合に、折畳みラベル部相互が接着されるのが抑制され、上記のようにして折畳み式ラベルを開けた場合に、折畳まれた折畳みラベル部が簡単に開いて、各折畳みラベル部の印刷面に表示された内容を簡単に見ることができるようになる。
【００２３】
また、この発明における折畳み式ラベルにおいて、上記の底面ラベル部の両側部に、上記の表面ラベル部の押え部に対応するようにして側方に突出した突出部を設けると、上記のように底面ラベル部の裏面に設けられた粘着剤層によって底面ラベル部を物品に貼付した場合における貼付面積が大きくなって、折畳み式ラベルが物品に強固に貼付されるようになると共に、表面ラベル部の両側部から側方に突出した押え部を物品に貼付させる場合に、この押え部を上記の突出部の上に重ねるようにして貼付させることにより、押え部を適切な位置に簡単に貼付できるようになる。
【００２４】
また、表面ラベル部の裏面に粘着剤層が設けられた折畳み式ラベルを折畳んだ場合において、上記の表面ラベル部の上部側が底面ラベル部より突出されるようにすると、このように底面ラベル部より突出された表面ラベル部の上部側が物品に貼付されるようになり、折畳まれた折畳み式ラベルが、上記の押え部に加えてこの表面ラベル部の上部側により物品に押し付けられ、さらに密接した状態で物品に貼付されるようになる。
【００２５】
また、前記のように表面ラベル部の裏面とこの表面ラベル部と折目線を介して連続する折畳みラベル部の裏面とを接着させる場合において、上記のように表面ラベル部の上部側を底面ラベル部より突出させて、底面ラベル部より突出された表面ラベル部の上部側を物品に貼付させると、表面ラベル部と押え部との間における上記の切離し用の切込み線を上記の折目線側から切断させる作業が容易に行えるようになる。
【発明を実施するための最良の形態】
【００２６】
以下、この発明の実施形態に係る折畳み式ラベルを添付図面に基づいて具体的に説明する。なお、この発明に係る折畳み式ラベルは、下記の実施形態に示したものに限定されるものではなく、その要旨を変更しない範囲において適宜変更して実施できるものである。
【００２７】
（実施形態１）
この実施形態１における折畳み式ラベルにおいては、図１に示すように、表面ラベル部１１と底面ラベル部１２との間に折目線１４によって折畳まれる折畳みラベル部１３が１つ設けられ、各ラベル部１１，１２，１３の表面側がそれぞれ印刷面Ｐ１，Ｐ２，Ｐ３になっていると共に、上記の表面ラベル部１１の両側部にミシン目等の切離し用の切込み線１５を介して側方に突出した押え部１６が設けられ、また上記の底面ラベル部１２の両側部にも、上記の押え部１６に対応するようにしてこの押え部１６よりも小形になった突出部１２ａを設けている。
【００２８】
また、この実施形態１における折畳み式ラベルにおいては、図２に示すように、上記の各ラベル部１１，１２，１３における印刷面Ｐ１，Ｐ２，Ｐ３とは反対側の裏面全体に粘着剤層１７を設けている。
【００２９】
ここで、上記のように表面ラベル部１１と底面ラベル部１２との間に折畳みラベル部１３を設けるにあたり、上記の折目線１４として、この実施形態においては上記の切離し用の切込み線１５と同じミシン目を設けているが、単に折り曲げるための折り込み線や貫通しない切込み線であってもよい。
【００３０】
そして、この実施形態１における折畳み式ラベルを物品１に貼付させるにあたっては、図３及び図４に示すように、上記の表面ラベル部１１と折畳みラベル部１３とをその間の折目線１４により山型状に折り曲げて表面ラベル部１１裏面の粘着剤層１７と折畳みラベル部１３裏面の粘着剤層１７とを接着させ、また上記の底面ラベル部１２及びその両側に突出した突出部１２ａをこれらの裏面に設けられた粘着剤層１７によって物品１の適当な位置に貼付させると共に、底面ラベル部１２と折畳みラベル部１３との間の折目線１４により、この折畳みラベル部１３を谷状に折り曲げて、上記の底面ラベル部１２の印刷面Ｐ２の上に折畳みラベル部１３の印刷面Ｐ３が重なるようにする。
【００３１】
次いで、図５に示すように、上記の表面ラベル部１１の両側部から突出した押え部１６が底面ラベル部１２の両側に突出した突出部１２ａを覆うようにして、この押え部１６を物品１に貼付させる。このようにして折畳み式ラベルを物品１に貼付させると、同図に示すように、表面ラベル部１１の印刷面Ｐ１だけが表面に現れるようになる。
【００３２】
そして、上記のように物品に貼付された折畳み式ラベルにおいて、上記の底面ラベル部１２及び折畳みラベル部１３の印刷面Ｐ２，Ｐ３に表示された内容を見る場合には、表面ラベル部１１と折畳みラベル部１３との間の折目線１４側から上記の切込み線１５を切断させて表面ラベル部１１を押え部１６から分離させ、底面ラベル部１２と折畳みラベル部１３との間の折目線１４によって谷状に折り曲げられた折畳みラベル部１３を開けるようにする。
【００３３】
このようにすると、図６に示すように、折畳み式ラベルを物品１に貼付させた状態で隠れていた底面ラベル部１２の印刷面Ｐ２と折畳みラベル部１３の印刷面Ｐ３とが現れて、これらの印刷面Ｐ２，Ｐ３に表示された内容を見ることができるようになる。この場合、表面ラベル部１１の印刷面Ｐ１は折畳みラベル部１３の裏面側に隠れるようになるが、上記のように開いた折畳みラベル部１３を閉じるように折り曲げることにより、この表面ラベル部１１の印刷面Ｐ１に表示された内容を見ることができる。
【００３４】
なお、この実施形態１における折畳み式ラベルにおいては、表面ラベル部１１の裏面と折畳みラベル部１３の裏面とを接着させるにあたり、表面ラベル部１１の裏面と折畳みラベル部１３の裏面との両方に粘着剤層１７を設けるようにしたが、表面ラベル部１１の裏面と折畳みラベル部１３の裏面との何れか一方にだけ設けるようにすることも可能である。
【００３５】
また、この実施形態１における折畳み式ラベルにおいては、上記のように表面ラベル部１１の裏面と折畳みラベル部１３の裏面との両方に粘着剤層１７を設け、表面ラベル部１１の裏面と折畳みラベル部１３の裏面とを接着させるようにしたが、図７に示すように、表面ラベル部１１の両側部から切離し用の切込み線１５を介して側方に突出した押え部１６の裏面と、上記の底面ラベル部１２及びその両側に突出した突出部１２ａの裏面とに粘着剤層１７を形成する一方、上記の表面ラベル部１１の裏面と折畳みラベル部１３の裏面とが非粘着性或いは弱粘着性になるようにし、表面ラベル部１１の裏面と折畳みラベル部１３の裏面とを接着させないようにすることも可能である。
【００３６】
ここで、表面ラベル部１１と折畳みラベル部１３との裏面を非粘着性或いは弱粘着性にするにあたっては、これらの裏面に粘着剤層１７を全く設けないようにする他、これらの裏面に粘着剤層１７を形成した後、この粘着剤層１７の上に非粘着性材料を塗布して粘着性を低下させるようにすることができる。
【００３７】
そして、このように表面ラベル部１１の裏面と折畳みラベル部１３の裏面とが接着されないようにした折畳み式ラベルを、上記のようにして物品に貼付させた場合において、上記の表面ラベル部１１の上縁側から上記の切込み線１５を切断させて表面ラベル部１１を押え部１６から分離させ、図８に示すように、各折目線１４によって折り曲げられた折畳みラベル部１３を伸ばすようにして開けると、上記の表面ラベル部１１、底面ラベル部１２及び折畳みラベル部１３の各印刷面Ｐ１，Ｐ２，Ｐ３が現れて、これらの各印刷面Ｐ１，Ｐ２，Ｐ３に表示された内容をまとめて見ることができるようになる。
【００３８】
また、上記の実施形態１における折畳み式ラベルにおいては、表面ラベル部１１と折畳みラベル部１３とを同じ大きさにし、この折畳み式ラベルを折畳んだ状態では、表面ラベル部１１が折畳みラベル部１３の上に接着されて重なるようにしただけであるが、この表面ラベル部１１を折畳みラベル部１３よりも大きくして、この折畳み式ラベルを折畳んで物品１に貼付させた場合に、図９に示すように、表面ラベル部１１の上部側が折畳みラベル部１３より突出して物品１に貼付されるようにすることもできる。
【００３９】
このようにすると、折畳まれた折畳み式ラベルが、上記の押え部１６に加えてこの表面ラベル部１１の上部側により物品１に押し付けられて、密接した状態で貼付されるようになると共に、前記のように表面ラベル部１１と折畳みラベル部１３との間の折目線１４側から上記の切込み線１５を切断させる作業も容易に行えるようになる。さらに、上記のように折り曲げられた折畳みラベル部１３を開けて、底面ラベル部１２の印刷面Ｐ２と折畳みラベル部１３の印刷面Ｐ３とに表示された内容を見る場合にも、表面ラベル部１１の上部側が物品に貼付された状態となり、本を開くようにしてこれらの印刷面Ｐ２，Ｐ３を見ることができるようになる。
【００４０】
なお、図９に示す例では、上記の表面ラベル部１１に合わせてその両側の押え部１６も大きくしたが、表面ラベル部１１だけを大きくすることもできる。
【００４１】
（実施形態２）
この実施形態２における折畳み式ラベルにおいては、図１０に示すように、表面ラベル部１１と底面ラベル部１２との間に折目線１４によって折畳まれる第１〜第３の３つの折畳みラベル部１３ａ，１３ｂ，１３ｃが設けられ、これらの各ラベル部１１，１２，１３ａ，１３ｂ，１３ｃの表面側がそれぞれ印刷面Ｐ１，Ｐ２，Ｐ３ａ，Ｐ３ｂ，Ｐ３ｃになっていると共に、上記の表面ラベル部１１の両側部にミシン目等の切離し用の切込み線１５を介して側方に突出した押え部１６が設けられ、また上記の底面ラベル部１２の両側部にも、上記の押え部１６に対応するようにしてこの押え部１６よりも小形になった突出部１２ａを設けている。
【００４２】
そして、この実施形態における折畳み式ラベルにおいては、図１１に示すように、上記の印刷面Ｐ１，Ｐ２，Ｐ３ａ，Ｐ３ｂ，Ｐ３ｃとは反対側の裏面において、上記の表面ラベル部１１及びその両側における押え部１６と、上記の底面ラベル部１２及びその両側における突出部１２ａと、表面ラベル部１１と折目線１４を介して連続する第１の折畳みラベル部１３ａとにそれぞれ粘着剤層１７を設ける一方、上記の第２及び第３の折畳みラベル部１３ｂ，１３ｃの裏面は非粘着性或いは弱粘着性になるようにしている。
【００４３】
そして、この実施形態２における折畳み式ラベルを物品１に貼付させるにあたっては、図１２に示すように、上記の表面ラベル部１１とこれに連続する第１の折畳みラベル部１３ａとの間の折目線１４により、これらを山型状に折り曲げて表面ラベル部１１裏面の粘着剤層１７と折畳みラベル部１３裏面の粘着剤層１７とを接着させ、上記の底面ラベル部１２及びその両側に突出した突出部１２ａをこれらの裏面に設けられた粘着剤層１７によって物品１の適当な位置に貼付させると共に、この底面ラベル部１２の上に第３，第２，第１の各折畳みラベル部１３ｃ，１３ｂ，１３ａと表面ラベル部１１とが順々に折り重なるようにして、各折畳みラベル部１３ｃ，１３ｂ，１３ａを上記の各折目線１４によって折り曲げるようにする。
【００４４】
このようにして各折畳みラベル部１３ｃ，１３ｂ，１３ａを折り曲げた場合、上記の底面ラベル部１２の印刷面Ｐ２の上に第３の折畳みラベル部１３ｃの印刷面Ｐ３ｃが重なり、第３の折畳みラベル部１３ｃと第２の折畳みラベル部１３ｂとは印刷面Ｐ３ｃ，Ｐ３ｂと反対側における非粘着性或いは弱粘着性の面が重なり、第２の折畳みラベル部１３ｂと第１の折畳みラベル部１３ａとはそれぞれの印刷面Ｐ３ｂ，Ｐ３ａが重なるようになる。
【００４５】
その後、上記の実施形態１の場合と同様に、図５に示すように、上記の表面ラベル部１１の両側部から突出した押え部１６が底面ラベル部１２の両側に突出した突出部１２ａを覆うようにして物品１に貼付させて、この折畳み式ラベルを物品１に貼付させると、前記のように表面ラベル部１１の印刷面Ｐ１だけが表面に現れるようになる。
【００４６】
そして、上記のように物品に貼付された折畳み式ラベルにおいて、上記の底面ラベル部１２及び第１〜第３の各折畳みラベル部１３ａ，１３ｂ，１３ｃの各印刷面Ｐ２，Ｐ３ａ，Ｐ３ｂ，Ｐ３ｃに表示された内容を見る場合には、表面ラベル部１１と折畳みラベル部１３との間の折目線１４側から上記の切込み線１５を切断させて表面ラベル部１１を押え部１６から分離させ、底面ラベル部１２と折畳みラベル部１３との間において各折目線１４によって折り曲げられた第１〜第３の各折畳みラベル部１３ａ，１３ｂ，１３ｃを伸ばすようにして開ける。
【００４７】
このようにすると、図１３に示すように、折畳み式ラベルを物品１に貼付させた状態で隠れていた底面ラベル部１２及び第１〜第３の各折畳みラベル部１３ａ，１３ｂ，１３ｃの各印刷面Ｐ２，Ｐ３ａ，Ｐ３ｂ，Ｐ３ｃが現れて、これらの印刷面Ｐ２，Ｐ３ａ，Ｐ３ｂ，Ｐ３ｃに表示された内容を見ることができるようになる。この場合、表面ラベル部１１の印刷面Ｐ１は第１の折畳みラベル部１３ａの裏面側に隠れるようになるが、上記の実施形態１の場合と同様に、開いた状態にある第１の折畳みラベル部１３ａを閉じるように折り曲げることにより、この表面ラベル部１１の印刷面Ｐ１に表示された内容を見ることができる。
【００４８】
なお、この実施形態２における折畳み式ラベルにおいては、図１０に示すように、上記の表面ラベル部１１及びこの表面ラベル部１１と折目線１４を介して連続する第１の折畳みラベル部１３ａの裏面にも粘着剤層１７を設け、表面ラベル部１１の裏面と第１の折畳みラベル部１３ａの裏面とを接着させるようにしたが、図１４に示すように、表面ラベル部１１の両側部から切離し用の切込み線１５を介して側方に突出した押え部１６の裏面と、上記の底面ラベル部１２及びその両側に突出した突出部１２ａの裏面とにだけ粘着剤層１７を形成し、上記の表面ラベル部１１及び第１〜第３の各折畳みラベル部１３ａ，１３ｂ，１３ｃの裏面が非粘着性或いは弱粘着性になるようにし、表面ラベル部１１の裏面と第１の折畳みラベル部１３ａの裏面とを接着させないようにすることも可能である。
【００４９】
そして、このように表面ラベル部１１の裏面と第１の折畳みラベル部１３ａとが接着されないようにした折畳み式ラベルを、上記のようにして物品に貼付させた場合において、上記の表面ラベル部１１の上縁側から上記の切込み線１５を切断させて表面ラベル部１１を押え部１６から分離させて、図１５に示すように、各折目線１４によって折り曲げられた第１〜第３の各折畳みラベル部１３ａ，１３ｂ，１３ｃを伸ばすようにして開けると、上記の表面ラベル部１１、底面ラベル部１２及び第１〜第３の各折畳みラベル部１３ａ，１３ｂ，１３ｃの各印刷面Ｐ１，Ｐ２，Ｐ３ａ，Ｐ３ｂ，Ｐ３ｃが現れて、これらの各印刷面Ｐ１，Ｐ２，Ｐ３ａ，Ｐ３ｂ，Ｐ３ｃに表示された内容をまとめて見ることができるようになる。
【００５０】
また、図示していないが、この実施形態２における折畳み式ラベルにおいても、上記の実施形態１における折畳み式ラベルの場合と同様に、表面ラベル部１１を大きくし、折畳み式ラベルを折畳んだ状態で物品１に貼付させた場合に、表面ラベル部１１の上部側が折畳みラベル部１３ａ，１３ｂ，１３ｃから突出して物品１に貼付されるようにすることもできる。このようにした場合、上記の切込み線１５を切断させて、第１〜第３の各折畳みラベル部１３ａ，１３ｂ，１３ｃ及び底面ラベル部１２の各印刷面Ｐ３ａ，Ｐ３ｂ，Ｐ３ｃ，Ｐ２に表示された内容を本の頁を繰るようにして見ることができる。
【００５１】
なお、上記の実施形態１においては折畳みラベル部１３を１つ、実施形態２においては３つの折畳みラベル部１３ａ，１３ｂ，１３ｃを設けるようにしたが、さらに多くの折畳みラベル部１３を設けることも可能である。
【００５２】
また、上記の各折畳み式ラベルにおいては、各ラベル部１１，１２，１３，１３ａ〜１３ｃにおける全ての印刷面Ｐ１，Ｐ２，Ｐ３，Ｐ３ａ〜Ｐ３ｃに印刷を行う必要はなく、一部の印刷面に対して印刷を行わないようにすることもできる。
【００５３】
さらに、上記の各折畳み式ラベルにおいて、各ラベル部１１，１２，１３，１３ａ〜１３ｃにおける印刷面Ｐ１，Ｐ２，Ｐ３，Ｐ３ａ〜Ｐ３ｃと反対側の面であって非粘着性或いは弱粘着性の面に対して印刷を行うことも可能である。
【図面の簡単な説明】
【００５４】
【図１】この発明の実施形態１に係る折畳み式ラベルの印刷面側の概略平面図である。
【図２】上記の実施形態１に係る折畳み式ラベルの印刷面と反対の裏面側を示した概略底面図である。
【図３】上記の実施形態１に係る折畳み式ラベルにおいて、表面ラベル部の裏面と折畳みラベル部の裏面とを接着させた状態で、底面ラベル部を物品に貼付させた状態を示した概略平面図である。
【図４】上記の実施形態１に係る折畳み式ラベルにおいて、表面ラベル部の裏面と折畳みラベル部の裏面とを接着させた状態で、底面ラベル部を物品に貼付させた状態を示した概略斜視図である。
【図５】上記の実施形態１に係る折畳み式ラベルにおいて、表面ラベル部の両側部から突出した押え部が底面ラベル部の両側に突出した突出部を覆うようにして、この折畳み式ラベルを物品に貼付させた状態を示した概略平面図である。
【図６】上記の実施形態１に係る折畳み式ラベルを物品に貼付させた状態で、表面ラベル部と押え部との間の切込み線を切断させて、折り曲げられていた折畳みラベル部を開けた状態を示した概略平面図である。
【図７】上記の実施形態１に係る折畳み式ラベルの第１の変更例において、折畳み式ラベルの印刷面と反対の裏面側の状態を示した概略底面図である。
【図８】上記の第１の変更例に係る折畳み式ラベルを物品に貼付させた状態で、表面ラベル部と押え部との間の切込み線を切断させて、折り曲げられていた折畳みラベル部を伸ばすようにして開けた状態を示した概略平面図である。
【図９】上記の実施形態１に係る折畳み式ラベルの第２変更例において、折畳み式ラベルを物品に貼付させた状態を示した概略平面図である。
【図１０】この発明の実施形態２に係る折畳み式ラベルの印刷面側の概略平面図である。
【図１１】上記の実施形態２に係る折畳み式ラベルの印刷面と反対の裏面側を示した概略底面図である。
【図１２】上記の実施形態１に係る折畳み式ラベルにおいて、表面ラベル部の裏面と第１の折畳みラベル部の裏面とを接着させると共に底面ラベル部を物品に貼付させ、第１〜第３の各折畳みラベル部が折り重なるようにして折り曲げる状態を示した概略側面図である。
【図１３】上記の実施形態２に係る折畳み式ラベルを物品に貼付させた状態で、表面ラベル部と押え部との間の切込み線を切断させて、折り曲げられていた第１〜第３の各折畳みラベル部を伸ばすようにして開けた状態を示した概略平面図である。
【図１４】上記の実施形態２の折畳み式ラベルの変更例に係る折畳み式ラベルにおける印刷面と反対の裏面側の状態を示した概略底面図である。
【図１５】上記の変更例に係る折畳み式ラベルを物品に貼付させた状態で、表面ラベル部と押え部との間の切込み線を切断させて、折り曲げられていた第１〜第３の各折畳みラベル部を伸ばすようにして開けた状態を示した概略平面図である。
【符号の説明】
【００５５】
１  物品
１１  表面ラベル部
１２  底面ラベル部
１２ａ  突出部
１３，１３ａ〜１３ｃ  折畳みラベル部
１４  折目線
１５  切込み線
１６  押え部
１７  粘着剤層
Ｐ１，Ｐ２，Ｐ３，Ｐ３ａ，Ｐ３ｂ，Ｐ３ｃ  印刷面
【図１】
0004711335.tif 000002
【図２】
0004711335.tif 000003
【図３】
0004711335.tif 000004
【図４】
0004711335.tif 000005
【図５】
0004711335.tif 000006
【図６】
0004711335.tif 000007
【図７】
0004711335.tif 000008
【図８】
0004711335.tif 000009
【図９】
0004711335.tif 000010
【図１０】
0004711335.tif 000011
【図１１】
0004711335.tif 000012
【図１２】
0004711335.tif 000013
【図１３】
0004711335.tif 000014
【図１４】
0004711335.tif 000015
【図１５】
0004711335.tif 000016